(57)【要約】【課題】本発明は、使用者が任意で風向を可変する風向可変ルーバーに抗菌性を高める金属板を配置し、清潔性が高く、使用時の安全性を向上させた空気清浄機を提供することが出来る。【解決手段】塵埃を捕集する集塵フィルタと、前記集塵フィルタを収容する本体部と、前記集塵フィルタの周囲に形成された空気吸込口と、前記空気吸込口から空気を取り入れて前記集塵フィルタに通過させるための回転ファン及び前記回転ファンを駆動させるための電動送風機とを備え、前記回転ファンを通過した空気を本体の外部へ排気するための送風口を有し、前記送風口には風向を可変できるように風向可変ルーバーが配置されおり、前記風向可変ルーバーには抗菌性を有する金属板を取り付けた。【選択図】図１
2015078803.tif 000002
【特許請求の範囲】
【請求項１】
塵埃を捕集する集塵フィルタと、前記集塵フィルタを収容する本体部と、前記集塵フィルタの周囲に形成された空気吸込口と、前記空気吸込口から空気を取り入れて前記集塵フィルタに通過させるための回転ファン及び前記回転ファンを駆動させるための電動送風機とを備え、前記回転ファンを通過した空気を本体の外部へ排気するための送風口を有し、
前記送風口には風向を可変できるように風向可変ルーバーが配置されおり、前記風向可変ルーバーには抗菌性を有する金属板を取り付けたことを特徴とする空気清浄機。
【請求項２】
請求項１に記載の空気清浄機において、
前記金属板は使用者が触れる箇所に配置されたことを特徴とする空気清浄機。
【請求項３】
請求項１又は２に記載の空気清浄機において、
前記金属板の周囲を成形部品で覆った形状としたことを特徴とする空気清浄機。
【請求項４】
請求項１乃至３の何れか１項に記載の空気清浄機において、
前記集塵フィルタは微小粒子を捕集可能な高性能フィルタとしたことを特徴とする空気清浄機。
【請求項５】
請求項１乃至４の何れか１項に記載の空気清浄機において、
前記金属板は、少なくとも風向可変ルーバーに構成される面の一方向面に露出して取り付けられ、前記風向可変ルーバーを閉じた状態では送風口側に位置していることを特徴とする空気清浄機。
【請求項６】
請求項１乃至４の何れか１項に記載の空気清浄機において、
前記金属板は、少なくとも風向可変ルーバーに構成される面の一方向面に露出して取り付けられ、前記風向可変ルーバーを閉じた状態では前記本体部の外観側に位置していることを特徴と空気清浄機。
【発明の詳細な説明】
【技術分野】
【０００１】
本発明は、抗菌性を有する金属部材を風向可変ルーバーに備えた空気清浄機に関する。
【背景技術】
【０００２】
従来の空気清浄機は風向を任意の位置に可変できるよう風向可変ルーバーが本体の送風口に配置されるものが主流である。空気清浄機には空気中に浮遊する塵埃を捕集するための集じんフィルタが搭載されているため本体の送風口からはきれいな空気が本体の外に排出されていた。従来例として特開２０１０-３８４１１号には、フラップ（風向可変ルーバー）にステッピングモータを使用し、フラップ（風向可変ルーバー）を運転モードに合せて開口角度を制御しており、運転停止するときはフラップ（風向可変ルーバー）を閉じた状態にして運転停止する。これにより送風口から空気清浄機本体内部に異物や塵埃が入り込むのを防ぐ構造としていることが記載されている。
【先行技術文献】
【特許文献】
【０００３】
【特許文献１】特開２０１０―３８４１１号公報
【発明の概要】
【発明が解決しようとする課題】
【０００４】
しかしながら、近年、衛生志向の高まりにより、空気中の塵埃捕集機能を有するのみならず、より清潔性を高めた製品が望まれている。
【０００５】
空気清浄機の使用実態は、部屋の床面設置がほとんどである。空気清浄機の風向を可変する際には、使用者が直接風向可変ルーバーを操作し、任意の風向に変える製品も多い。本体に配置されている集塵フィルタをすり抜けた微細な菌などは本体に設けられた送風口を通過し、本体の外部へ排出されるため、風向可変ルーバーにも付着する。使用者は様々な物に触れた素手で風向可変ルーバーを操作するため、素手に付着した菌などが逆に風向可変ルーバーへ付着し、放置し続けると菌の増殖が生じる要因となる恐れがあった。
【０００６】
本発明は、清潔性を高めた空気清浄機を提供することを目的とする。
【課題を解決するための手段】
【０００７】
本発明は、前記課題を解決するために、塵埃を捕集する集塵フィルタと、前記集塵フィルタを収容する本体部と、前記集塵フィルタの周囲に形成された空気吸込口と、前記空気吸込口から空気を取り入れて前記集塵フィルタに通過させるための回転ファン及び前記回転ファンを駆動させるための電動送風機とを備え、前記回転ファンを通過した空気を本体の外部へ排気するための送風口を有し、前記送風口には風向を可変できるように風向可変ルーバーが配置されおり、前記風向可変ルーバーには抗菌性を有する金属板を取り付けた。
【発明の効果】
【０００８】
本発明によれば、風向可変ルーバーに抗菌性を高める金属板を配置したことで、付着した菌、触れた時に付着した菌を抑制し抗菌性が得られる。
【０００９】
また、金属板の周囲を成形部品で覆った形状とすることにより、金属のエッジなどに直接手や指が触れることがないため、安全性を向上でき、集塵フィルタは微小粒子を捕集可能な高性能フィルタを使用すればきれいな空気を排出しながらも菌の抑制が可能となるので、より浄化された空気を室内などに供給できる。また、長時間使用後にそのまま長期保管されても風向可変ルーバーに付着した菌の増殖を抑えることが可能となり、風向可変ルーバーを閉じた状態で本体の外観側に位置させれば、本体の周囲などから落下・吸着した菌も抑制することができ、本体清潔性を保った状態を維持することが可能となる。
【図面の簡単な説明】
【００１０】
【図１】本実施形態に係る空気清浄機を示す外観斜視図。
【図２】本実施形態に係る空気清浄機を示す分解斜視図。
【図３】本実施形態に係る実施例の空気清浄機を側面側から見たときの斜視図。
【図４】本実施形態に係る空気清浄機の中央断面図である。
【図５】本実施形態に係る風向可変ルーバーの分解斜視図である。
【図６】別実施形態に係る風向可変ルーバーの分解斜視図である。
【図７】別実施形態に係る空気清浄機を側面側から見たときの斜視図である。（風向可変ルーバーの本体外観側に金属板露出した一例）
【発明を実施するための形態】
【００１１】
以下、本発明に係る実施形態について図１ないし図７を参照して説明する。
【００１２】
図１は本実施形態に係る空気清浄機を示す外観斜視図、図２は本実施形態に係る空気清浄機を示す分解斜視図である。
【００１３】
図１に示すように、空気清浄機１は、本体部２と、前面パネル３とを有している。本体部２は、主部枠体２ａと前部枠体２ｂとで構成された筐体を有している。また、主部枠体２ａは、前部枠体２ｂよりも後方に位置している。また、筐体は、主部枠体２ａと前部枠体２ｂとが突合せ接合部２ｃで接続され、空気清浄機１の外郭を構成している。また、主部枠体２ａの上面には、送風口２ｄが設けられ、この送風口２ｄから清浄化されたクリーンな空気が室内に送風されるようになっている。また、主部枠体２ａの一方の側面（右側面）には、加湿機能用の給水タンク４が着脱自在に設けられている。
【００１４】
また、空気清浄機１の外周面には、前部枠体２ｂと前面パネル３との間において、空気が吸い込まれる空気吸込口５ａ，５ｂが形成されている。なお、図１では、上部の空気吸込口５ａと右側面の空気吸込口５ｂのみ図示しているが、下部の空気吸込口についても上部の空気吸込口５ａと同様に形成され、また左側面の空気吸込口についても右側面の空気吸込口５ｂと同様に形成されている。
【００１５】
よって、空気清浄機１では、前部枠体２ｂと前面パネル３との間の上下左右の隙間である空気吸込口５ａ、５ｂから空気清浄機１の内部に空気が取り込まれるようになっている。なお、空気吸込口の位置は、前記したように上下左右に限定されるものではなく、左右のみであってもよく、上下のみであってもよく、適宜変更することができる。
【００１６】
図２に示すように、空気清浄機１は、フィルタユニット６、電動送風機７を備えている。
【００１７】
フィルタユニット６は、空気清浄用のフィルタであり、前部枠体２ｂで囲まれる略矩形状の空間内に収容されている。なお、主部枠体２ａには、空気加湿用の気化フィルタ１８が、フィルタユニット６の後方下部に位置している。
【００１８】
電動送風機７が駆動することにより、空気吸込口５ａ，５ｂから空気が吸い込まれ、フィルタユニット６、回転ファン１７を通って、送風口２ｄから送出される。
【００１９】
主部枠体２ａ内には、フィルタユニット６の後方に、複数の開口２ｅが形成されたシャッター板２ｆと、この開口２ｅを開閉可能にするシャッター１９とを備えている。
【００２０】
また、シャッター板２ｆの下部には、気化フィルタ１８に空気を通流させる気化流路２ｇが形成されている。
【００２１】
また、前部枠体２ｂの前面２ｂ１には、フィルタユニット６の上部に、現在の運転状態を表示する動作状態表示部８が設けられている。この動作状態表示部８は、複数の発光部（ＬＥＤなど）８ａなどで構成され、各発光部８ａに対応する前面パネル３の前面部３ａの表面に動作状態（強、中、弱など）を示す印字部が形成されることで構成されている。すなわち、発光部８ａが発光することで、前面パネル３の印字部が発光するようになっている。
【００２２】
また、動作状態表示部８の近傍には、前面パネル３に設けられた電源ボタン３ｓの操作に連動して動作するスイッチ部８ｂが設けられている。これにより、電源ボタン３ｓを押圧操作することで、空気清浄機１の電源のオン・オフが可能となっている。
【００２３】
フィルタユニット６は、プレフィルタ１１と、脱臭フィルタ１３と、集塵フィルタ１２と、を備えて構成されている。なお、プレフィルタ１１、脱臭フィルタ１３および集塵フィルタ１２は、いずれも、ほぼ同一の空気通過面積を有する矩形状に形成されている。
【００２４】
プレフィルタ１１は、綿埃などの大きな塵埃を捕集するものであり、複数の四角い領域に区画された合成樹脂製の枠体１１ａに、ネット状（網状）のフィルタ部材１１ｂで構成されたものである。
【００２５】
図４は本実施形態に係る空気清浄機の中央断面図である。風向可変ルーバー１５は送風口２ｄの上面に配置されている。風向可変ルーバー１５は送風口２ｄから送られてくる風を任意の向きに切り替えが可能のように使用者が操作できる構造となっている。１６は風向可変ルーバー１５を回動するための回動軸であり、回動軸１６を中心として回動し、本体から送風される気流を垂直方向や斜め方向へ意図的に可変できる構造となっている。
【００２６】
風向可変ルーバー１５は図５に示す構造となっており、ルーバーＡ１５ａ、ステンレス板１５ｂ、ルーバーＢ１５ｃの部品で主に構成されている。
【００２７】
ルーバーＡ１５ａは、中央に開口部１５ａ１を有する略板形状の部材である。ステンレス板１５ｂは略板形状の部材である。ルーバーＢ１５ｃは、略板形状の部材である。ステンレス板１５ｂをルーバーＡ１５ａ及びルーバーＢ１５ｃの間に配置させ、ルーバーＡ１５ａとルーバーＢ１５ｃとにネジ（金属板取付用）２０で取り付けることによって、風向可変ルーバー１５の組立をおこなっている。空気清浄機１は使用者が風向可変ルーバー１５を操作する機能を有しているため、風向可変ルーバー１５を操作することによるステンレス板１５ｂが外れる恐れを防止することも配慮したものである。本実施例では、ステンレス板１５ｂがルーバーＡ１５ａの開口部１５ａ１から露出するように（風向可変フーバー１５の片側面に露出するように）取り付けられている。つまり、空気清浄機１の風向可変ルーバー１５を閉じた状態では、送風口２ｄ側に位置するよう取り付けられている。
【００２８】
使用者が風向可変ルーバー１５を操作する時は、素手でつまみながら回動させるため、多種多様なものに触れた指で操作することになる。そのため、風向可変ルーバー１５を操作する時に、風向可変ルーバー１５に菌などが付着することが多い。しかしながら、本実施形態のように、風向可変ルーバー１５にステンレス板１５ｂが露出した面を形成することで、付着した菌を抑制することが可能となり、清潔性が常に高い構造を提供できる。
【００２９】
図５で示すようにステンレス板１５ｂはルーバーＡ１５ａ及びルーバーＢ１５ｃの間に配置させネジ（金属板取付用）２０で取り付けをおこなっており、しかも取り付けを行った後は、ステンレス板１５ｂの周囲が部材（ルーバーＡ１５ａやルーバーＢ１５ｃ）で覆われている構造としているので、薄い金属板（ステンレス板１５ｂ）のエッジなどに直接触れる恐れが生じることが無く、安全性を高めた構造となる。
【００３０】
更には、集塵フィルタ１２を高性能フィルタを使用することで、細かな微粒子を捕集した空気が送風口２ｄに送られるので、ステンレス板１５ｂに付着する汚れが低減され、抗菌効果が高まり、よりきれいな空気を空気清浄機１の外部に送ることが可能となる。集塵フィルタ１２には高性能フィルタとして周知されているＵＬＰＡ、ＨＥＰＡフィルタを使用することにより効果が高まる。
【００３１】
また、風向可変ルーバー１５を閉じた状態で送風口２ｄ側に位置するようステンレス板１５ｂを一方向に露出させることで、長時間使用後にそのまま長期保管などをされても、風向可変ルーバー１５に付着した菌の増殖を抑えることが可能となる。
【００３２】
図６は、図５の風向可変ルーバー１５とは異なる風向可変ルーバー２１を示すものである。風向可変ルーバー２１が風向可変ルーバー１５と異なるところは、ルーバーＢ１５ｃの代わりにルーバーＣ１５ｄを用いているところである。ルーバーＣ１５ｄは、中央に開口部１５ｄ１を有する略板形状の部材である。風向可変ルーバー２１の組立は、風向可変ルーバー１５とほぼ同じであり、ステンレス板１５ｂをルーバーＡ１５ａ及びルーバーＣ１５ｄの間に配置させ、ルーバーＡ１５ａとルーバーＣ１５ｄとにネジ２０で取り付けることで行う。風向可変ルーバー２１を組み立てた後には、ステンレス板１５ｂがルーバーＡ１５ａの開口部１５ａ１とルーバーＣ１５ｄの開口部１５ｄ１とから露出するように（風向可変フーバー２１の両側面に露出するように）取り付けられている。
【００３３】
風向可変ルーバー２１を用いた空気清浄機１は、図７に示すように常にステンレス板１５ｂが常に空気清浄機の外観側に位置するようになる。つまり、空気清浄機１の風向可変ルーバー２１を閉じた状態では、送風口２ｄ側と外観側とに位置するように取り付けられている。空気清浄機の外観側に位置することで、図７に示す状態で収納されても、本体の周囲などから落下・吸着した菌を抑制することができ、本体の清潔性を保った状態で維持できる。
【００３４】
一般に金属による抗菌性は、特開２０１１−２２６６６７号に示すように金属イオンが溶出し、菌体内のタンパク質と結合して変性し、代謝系を破壊して酵素活性阻害を起こさせて細菌の増殖を阻止する理由によるものと考えられている。また、金属イオンで抗菌性が高い物としては銀や銅が広く知られているが、ニッケルはイオン化傾向が銀や銅よりも高く、抗菌性も優れている。
【符号の説明】
【００３５】
１      空気清浄機
２      本体部
２ａ    主部枠体
２ｂ    前部枠体
２ｂ１  前面
２ｂ２  凹部
２ｄ    送風口
３      前面パネル
３ａ    前面部
３ｂ    枠部
３ｂ１  上枠部
６      フィルタユニット
７      電動送風機
８      動作状態表示部
１１    プレフィルタ
１２    集塵フィルタ
１３    脱臭フィルタ
１４    送風口金網
１５    風向可変ルーバーＡ
１５ａ  ルーバーＡ
１５ｂ  ステンレス板
１５ｃ  ルーバーＢ
１５ｄルーバーＣ
１６    回動軸
１７    回転ファン
１８    気化フィルタ
１９    シャッター
２０    ネジ（金属板取付用）
２１    風向可変ルーバーＢ
【図１】
2015078803.tif 000003
【図２】
2015078803.tif 000004
【図３】
2015078803.tif 000005
【図４】
2015078803.tif 000006
【図５】
2015078803.tif 000007
【図６】
2015078803.tif 000008
【図７】
2015078803.tif 000009